(57)【要約】【課題】本考案は、簡易かつ子供から大人まで口内を傷つける危険が無く安心して使用でき、磨きにくい歯間に蓄積された食べかす、歯垢等を簡易に除去でき、また一つの歯間磨き具で口内全体の歯間、歯を磨ききることができる歯間磨き具を提供することを目的とするものである。【解決手段】歯間を磨く両端部２ｄ、２ｅが先端に向かって細くなった狭幅部２ｃを有する薄手の生地でできた磨き部２と、前記磨き部２の一端部２ｄには先端に向け細い左摘み部２ａを、前記磨き部２の他端部２ｅには先端に向け細い右摘み部２ｂを連接したことを特徴とする歯間磨き具１の構成とした。【選択図】図１
0003128400.tif 000002
【実用新案登録請求の範囲】
【請求項１】
歯間を磨く両端部が先端部向かって細くなった狭幅部を有する薄手の生地でできた磨き部と、前記磨き部の一端部には先端に向け細い左摘み部を、前記磨き部の他端部には先端に向け細い右摘み部とを連接したことを特徴とする歯間磨き具。
【請求項２】
歯間を磨く輪状の磨き部と、前記磨き部に鎖状に連結した糸体とからなることを特徴とする歯間磨き具。
【考案の詳細な説明】
【技術分野】
【０００１】
本考案は、磨きにくい歯間に蓄積された食べかす、歯垢等を安全かつ簡易に除去するための歯間磨き具に関する。
【背景技術】
【０００２】
従来、歯間を磨くための用具としては、特許文献１に示すような、先端が尖った爪楊枝形式の、即ち、つまようじとして使用できるように先鋭に形成された棒状の握り部と、この握り部の後端部に固定された歯や歯茎を磨くことのできる布袋に収納された綿、外周部を糸で巻かれた綿、多孔質の合成樹脂等で形成された歯磨き体と、この歯磨き体に含浸させた歯磨き剤とからなることを特徴とする歯磨き具、また、弧状に湾曲したプラスチックの両端に数本の糸を張った歯間磨き用具があった。
【特許文献１】実開平３−７８５１６号公報
【考案の開示】
【考案が解決しようとする課題】
【０００３】
しかしながら、特許文献１に示すような爪楊枝形式の歯間磨き用具では、歯間から食べかすを掘り出すように使用するため、比較的大きな食べかすを取り出すことは容易であったが、細かい食べかす、歯垢まで完全に除去することは難しかった。
【０００４】
また、特許文献１の歯間磨き具のような爪楊枝方式のものは先端が尖っているため子供などには危険なものであり、大人であっても気をつけて使用しなければ口内に刺さる危険があるものであった。
【０００５】
一方、弧状に湾曲したプラスチックの両端に数本の糸を張った歯間磨き用具は、細かい食べかすまで除去することはできたが、使用する糸が弱い場合は口内全部の歯間磨きを一本で行う程強度が無く数本使用しなければならず、使用する糸が強い場合は、歯茎を傷つけてしまう恐れがあり、安心して使用できるものではなかった。また、ブリッジやインプラントなどを施した部分には、上部に隙間がなく、歯間磨き用具では歯間の隙間を磨くことはできなかった。
【０００６】
そこで、本考案は、簡易かつ子供から大人まで口内を傷つける危険が無く安心して使用でき、磨きにくい歯間に蓄積された食べかす、歯垢等を簡易に除去でき、また一つの歯間磨き具で口内全体の歯間、歯を磨ききることができる歯間磨き具を提供することを目的とするものである。
【課題を解決するための手段】
【０００７】
本考案は、上記の課題を解決するために、歯間を磨く両端部２ｄ、２ｅが先端に向かって細くなった狭幅部２ｃを有する薄手の生地でできた磨き部２と、前記磨き部２の一端部２ｄには先端に向け細い左摘み部２ａを、前記磨き部２の他端部２ｅには先端に向け細い右摘み部２ｂを連接したことを特徴とする歯間磨き具１の構成とし、歯間を磨く輪状の磨き部４と、前記磨き部４に鎖状に連結した糸体５とからなることを特徴とする歯間磨き具１ａの構成とした。
【考案の効果】
【０００８】
本考案の歯間磨き具１は、磨き部２及び左右摘み部２ａ、２ｂを布、ガーゼ、不織布等の薄く、柔らかい生地で構成されているため子供から大人まで口内を傷つけることなく安心して使用できる。
【０００９】
また、磨き部２は、デンタルフロスなどの糸より丈夫なため、一つの歯間磨き具１で口内全体の歯間を磨くことができる。さらに、安価、かつ簡易に製造することができ、ディスポーザブルに使用できる。
【００１０】
一方、本考案の歯間磨き具１ａは、磨き部４を輪状とし、その輪に鎖状に糸体５などの糸を連結する構成で、磨き部４は、磨き部２と同様丈夫で、かつ歯間に初めに通す部分を、糸状の輪とした糸体５を別体としたため、歯間にスムーズに歯間磨き具１ａを通すことができる。従って、安全かつ簡易に使用できる。
【考案を実施するための最良の形態】
【００１１】
子供から大人まで口内を傷つけることなく安心して歯間を磨くことができ、更に一つの歯間磨き具で口内全体の歯間、歯を磨くことができる歯間磨き具の提供という目的を、布、ガーゼ、不織布等の薄く、柔らかい生地で構成することによって実現した。
【実施例１】
【００１２】
図１は、本考案である歯間磨き具の平面図である。図２は、本考案である歯間磨き具の側面図である。
【００１３】
本考案である歯間磨き具１は、磨き部２と、前記磨き部２の一端部２ｄに連接した左摘み部２ａと、前記磨き部２の他端部２ｅに連接した右摘み部２ｂとからなる。
【００１４】
磨き部２は、歯間に通され、左右に動かすことにより、歯間に蓄積された食べかす、歯垢等を擦り取り、磨く部分である。その両端部２ｄ、２ｅは、先端に向かって、テーパー状に先細り状に成形した狭幅部２ｃを形成するとよい。狭幅部２ｃを設けることにより、磨き部２が歯間に挿入し易くなり、歯間に挿入されても歯茎を傷つけず安全である。
【００１５】
磨き部２の素材としては、丈夫で、口内を傷つけない素材である布、ガーゼ、不織布等の薄く、柔らかい歯間に挿入できる薄手の生地等が望ましい。表面に凹凸を付けたソフトな薄い樹脂、ゴムなども使用できる。
【００１６】
左右摘み部２ａ、２ｂは、歯間に歯間磨き具１の磨き部２を挿入する挿入先端であり、磨き部２を歯間に挿入した後は、両手指で摘む部分である。左右摘み部２ａ、２ｂを摘み、前後、左右に磨き部２を動かすことにより、食べかす、歯垢を除去し、歯間、歯を磨くことができる。
【００１７】
左右摘み部２ａ、２ｂは、前記磨き部２の両端を紙撚り状に撚り、強く圧縮することで、磨き部２と一体として成形できる。また、糊などを含浸して、撚ってもよく、さらに圧縮し、歯間に挿入できる細さとする。なお、別体として、成形し糊、糸などで、磨き部２の両端部２ｄ、２ｅに連結固定してもよい。左右摘み部２ａ、２ｂの両先端は、歯間に挿入できるよう細く成形することが望ましい。その素材は、磨き部２と同様である。
【００１８】
図３は、本考案である歯間磨き具の使用方法を示した図である。ここでは、下歯茎と、歯３ａのみを示した口内３での動作方法を説明する。先ず、左右摘み部２ａ、２ｂの一方の先端を磨く部分の歯間に挿入する。次に、歯間から突出した何れか一方の左右摘み部２ａ、２ｂの先端を、挿入側と反対方向に引き抜くことで、磨き部２を目的の歯間に導入することができる。
【００１９】
その後、左右摘み部２ａ、２ｂを両手の指で摘み、磨き部２を歯に押圧し、左右摘み部２ａ、２ｂを交互に前後、左右に動かすことで、また、磨き部２を歯間中で上下に動かすことで、歯間、歯を磨くことができる。なお、磨き部２は、軟らかく、伸展性のある前記素材でできているため、左右摘み部２ａ、２ｂを引くことで、磨き部２は、細く伸び、歯茎と歯間にある隙間をうまく磨くことができる。
【００２０】
なお、歯間に一定の隙間があれば、左右摘み部２ａ、２ｂを歯間に挿入せず、歯上方より磨き部２を歯間に嵌め込み、前記磨き作業をすることで、歯間、及び底部隙間の両方を磨くことができる。
【００２１】
図４は、本考案である歯間磨き具の使用方法を示した図である。ここでは、ブリッジ３ｂの下方の三角隙間３ｃに歯間磨き具１を挿入し、磨き部２でブリッジ３ｂされた歯、インプラントされた歯を磨く方法を説明する。
【００２２】
三角隙間３ｃに、先ず、左右摘み部２ａ、２ｂの一方の先端を挿入し、三角隙間３ｃから突出した何れか一方の左右摘み部２ａ、２ｂの先端を、挿入側と反対方向に引き抜くことで、磨き部２を三角隙間３ｃに挿入することができる。
【００２３】
その後、左右摘み部２ａ、２ｂを両手の指で摘み、磨き部２を歯に押圧し、左右摘み部２ａ、２ｂを交互に前後、左右に動かすことで、また、磨き部２を三角隙間３ｃ中で上下に動かすことで、三角隙間３ｃを形成する歯、ブリッジ３ｂ側面を磨くことができる。
【実施例２】
【００２４】
図５は、本考案である歯間磨き具の第２実施例の斜視図である。本考案である歯間磨き具１ａは、歯間を磨く輪状の磨き部４と、前記磨き部４に鎖状に連結した糸体５とからなる。
【００２５】
磨き部４は、輪状に形成され、歯間に通され、左右に動かすことにより、歯間に蓄積された食べかす、歯垢等を擦り取り、磨く部分である。その素材は、前記磨き部２と同様、丈夫で、口内を傷つけない素材である布、ガーゼ、不織布等の薄く、柔らかい生地等が望ましく、表面に凹凸を付けたソフトな薄い樹脂、ゴムなども使用できる。
【００２６】
糸体５は、前記磨き部４に通され、結ばれ、鎖状に連結し、歯間磨き具１ａの磨き部４を口内から歯間に挿入する挿入先端であり、磨き部４を歯間に挿入した後は、指で摘み、磨き部４を歯間から口外に引きぬくためのものである。糸体５の素材は、口内を傷つけない素材である天然素材の糸、釣り糸など細い糸などが使用でき、特にデンタルフロスが好適である。
【００２７】
糸体５を歯間に通し、磨き部４を歯間から引き抜く作業を複数回繰り返すことで、食べかす、歯垢を除去し、歯間、歯を磨くことができる。
【００２８】
図６は、本考案である歯間磨き具の第２実施例の使用方法を示した図である。図６（Ａ）は、糸体５を口内３側から、歯間に通したときの図であり、図６（Ｂ）は、糸体５を口外に引き抜き、磨き部４が歯間を磨いているときの様子を示す図である。
【００２９】
図６（Ａ）に示すように、本考案である歯間磨き具１ａは、糸体５が細く、丈夫で、かつ安全な素材であるから、口内３側から歯間に通すことができ、図中矢印Ａ方向であるある口外に引き抜くことで、磨き部４を容易に歯間に通すことができる。
【００３０】
また、図６（Ｂ）に示すように、さらに口外方向に糸体５を引くことで、磨き部４を歯間に容易に導き、食べかす、歯垢を三角隙間３ｄなどの歯間から除去し、歯を磨くことができる。このような作業を複数回繰り返し、同じ位置を磨けば、歯間、歯は十分きれいになる。
【００３１】
また、磨き部４は、軟らかく、伸展性のある前記素材でできているため、糸体５を引くことで、磨き部４は、細く伸び、歯茎と歯間にある三角隙間３ｄをうまく磨くことができる。
【００３２】
なお、歯間に一定の隙間があれば、歯間に糸体５を挿入せず、歯上方より磨き部２を歯間に嵌め込み、前記磨き作業をすることで、歯間、及び底部三角隙間３ｄを形成する歯３ａ側面の両方を磨くことができる。
【図面の簡単な説明】
【００３３】
【図１】本考案である歯間磨き具の平面図である。
【図２】本考案である歯間磨き具の側面図である。
【図３】本考案である歯間磨き具の使用方法を示した図である。
【図４】本考案である歯間磨き具の使用方法を示した図である。
【図５】本考案である歯間磨き具の第２実施例の斜視図である。
【図６】本考案である歯間磨き具の第２実施例の使用方法を示した図である。
【符号の説明】
【００３４】
１      歯間磨き具
１ａ    歯間磨き具
２      磨き部
２ａ    左摘み部
２ｂ    右摘み部
２ｃ    狭幅部
２ｄ    端部
２ｅ    端部
３      口内
３ａ    歯
３ｂ    ブリッジ
３ｃ    三角隙間
３ｄ    三角隙間
４      磨き部
５      糸体
【図１】
0003128400.tif 000003
【図２】
0003128400.tif 000004
【図３】
0003128400.tif 000005
【図４】
0003128400.tif 000006
【図５】
0003128400.tif 000007
【図６】
0003128400.tif 000008